(57)【要約】      （修正有）【課題】指輪などの小物の陳列品を袋の中に入れて陳列する場合に、小物が袋の中で隅に入ってしまっても見えにくくなることがない陳列品収納具を提供する。【解決手段】少なくとも一面が透明である外袋１と、外袋の内部に配設された外袋より小さいポケット片２とからなり、外袋の内部にポケット片が配置されて、外袋の開口１４１とポケット片の開口２４１が同じ向きに配置され、ポケット片は、外袋の内部にポケット片の３方２１〜２３が固定され、外袋の開口とポケット片とは同一方向に開口して、開口部近傍に折り畳み線３が形成されてポケット片の内部に陳列品が収納された後に折り畳まれる。【選択図】図１
0003224166.tif 000002
【実用新案登録請求の範囲】
【請求項１】
少なくとも一面が透明である外袋と、外袋の内部に配設された外袋より小さいポケット片とからなり、外袋の内部にポケット片が配置されて、外袋の開口とポケット片の開口を同じ向きに配置し、
ポケット片は、外袋の内部にポケット片の３方が固定されて成り、
外袋の開口とポケット片とは同一方向に開口して、開口部近傍に折り畳み部が形成されてポケット片の内部に陳列品が収納された後に折り畳み部が折り畳まれて成る
ことを特徴とする陳列品収納具。
【考案の詳細な説明】
【技術分野】
【０００１】
この考案は、陳列品収納具に関し、指輪やアクセサリーなどの装身具や小物雑貨・文房具、メダルなどの陳列品を収納して展示する際に好適な陳列品収納具に関する。
【背景技術】
【０００２】
従来、指輪などの小物の陳列品を陳列する際は、袋に入れて陳列されていることがある。
【先行技術文献】
【特許文献】
【０００３】
【特許文献１】特開２０１２−０００２６８号公報
【考案の概要】
【考案が解決しようとする課題】
【０００４】
しかし、袋の中で隅に入ってしまって陳列品が見えにくくなるという問題があった。
【課題を解決するための手段】
【０００５】
そこで、上記課題を解決するための手段として本考案に係る陳列品収納具は、少なくとも一面が透明である外袋と、外袋の内部に配設された外袋より小さいポケット片とからなり、外袋の内部にポケット片が配置されて、外袋の開口とポケット片の開口を同じ向きに配置し、ポケット片は、外袋の内部にポケット片の３方が固定されて成り、外袋の開口とポケット片とは同一方向に開口して、開口部近傍に折り畳み部が形成されてポケット片の内部に陳列品が収納された後に折り畳み部が折り畳まれて成ることを特徴とする。
【考案の効果】
【０００６】
本考案によれば、指輪などの小物の陳列品を袋の中に入れて陳列する場合に、小物が袋の中で隅に入ってしまっても見えにくくなることがない。
【図面の簡単な説明】
【０００７】
【図１】第一の実施形態に係る陳列収納具の（Ａ）正面図及び（ｂ）Ａ−Ａ縦端面図である。
【図２】第一の実施形態に係る陳列収納具を折り畳み線３で折り畳んだ状態を示す正面図である。
【図３】ポケット片２に陳列品Ａを収納し、折り畳み線３で折り畳まれた第一の実施形態に係る陳列収納具を示す斜視図である。
【図４】ポケット片２に陳列品Ａを収納し、折り畳み線３で折り畳まれた第一の実施形態に係る陳列収納具の縦断面図である。
【図５】第二の実施形態に係る陳列収納具の正面図である。
【図６】ポケット片２に陳列品Ａを収納し、折り畳み線３で折り畳まれた第二の実施形態に係る陳列収納具を示す正面図である。
【図７】第三の実施形態に係る陳列収納具の正面図である。
【図８】ポケット片２に陳列品Ａを収納し、折り畳み線３で折り畳まれた第三の実施形態に係る陳列収納具を示す正面図である。
【考案を実施するための形態】
【０００８】
以下、本考案に係る実施の形態を、図を参照しながら詳しく説明する。なお、本明細書及び図面において、実質的に同一の機能構成を有する構成要素については、同一の符号を付することにより重複説明を省略する。
【０００９】
〔第一の実施形態〕
１は本考案に係る陳列品収納具の外袋であり、透明で柔軟なプラスチックフィルムによって形成されている。外袋１は、三辺１１，１２，１３が連接され一辺１４が開口１４１された袋状に形成されている。外袋１は、用途に応じて上下に長くしても良いし、左右幅を大きく上下を短くしても良い。２はポケット片であり、三辺２１，２２，２３が外袋１の内面に連接され、一辺２４が開口２４１されている。ポケット片２は透明で柔軟なプラスチックフィルムによって形成されている。ポケット片２は、外袋１より外周の大きさが小さく、外袋１の内部の好適な位置に連接されている。
【００１０】
ポケット片２は、ポケット片２の開口２４１を外袋１の開口１４１と同じ向きに向けて配置され、外袋１の内面にポケット片が固定されている。ポケット片２は外袋１の内面１５１に接着若しくは溶着によって固定されるのが好ましい。外袋１とポケット片２とは、外袋１の開口１４１とポケット片２の開口２４１とが同一方向を向くようにされ、各開口１４１，２４１の近傍には折り畳み線３が形成され、外袋１とポケット片２とはこの折り畳み線３において裏面側に折り畳み可能とされている。陳列品を収納する際は、外袋１とポケット片２の各開口１４１，２４１を介してポケット片２の内部に陳列品を収納し、その後、開口部を背面側に折り畳む。
【００１１】
本考案は、上記のとおり少なくとも一面が透明である外袋１と、外袋１の内部に配設された外袋１より小さいポケット片２とからなり、外袋１の内部にポケット片２が配置されて、外袋１の開口１４１とポケット片２の開口２４１を同じ向きに配置し、ポケット片２は、外袋１の内部にポケット片２の３方が固定されて成り、外袋１の開口とポケット片とは同一方向に開口して、開口部近傍に折り畳み部が形成されてポケット片２の内部に陳列品が収納された後に折り畳み部が折り畳まれて成るので、簡易な構成であるとともに、陳列品Ａが袋の中で安定的に位置させ、陳列させることができる。
【００１２】
〔第二の実施形態〕
第５図に示す第二の実施形態は、ポケット片２によって２か所の陳列品収納部を形成した例を示すものである。この場合、ポケット片２の三辺２１，２２，２３に加えて、中間線２５が連接されている。このようにすることにより、ポケット片２内に２個の陳列品Ａを互いに接触することなく収納することができる。第６図は、折り畳み前の状態を示す図である。
【００１３】
〔第二の実施形態〕
第７図は、第三の実施形態を示しており、ポケット片２によって収納される空間が斜めに形成された例を示している。第８図は、第７図の実施形態に陳列品Ａを収納し、畳んだ状態を示している。このように形成した場合は、陳列品Ａを斜めに配して安定させることができ、斜めから見ることが好適な陳列品Ａに好適に使用することができる。
【符号の説明】
【００１４】
１  外袋
２１，２２，２３  三辺
１４  一辺
１４１  開口
２  ポケット片
２１，２２，２３  三辺
２４１  開口
２５  中間線
３  折り畳み線
４  吊下げ孔
Ａ  陳列品
【図１】
0003224166.tif 000003
【図２】
0003224166.tif 000004
【図３】
0003224166.tif 000005
【図４】
0003224166.tif 000006
【図５】
0003224166.tif 000007
【図６】
0003224166.tif 000008
【図７】
0003224166.tif 000009
【図８】
0003224166.tif 000010